(57)【要約】【課題】例えばパーソナルコンピュータ等の記憶装置を内蔵する電子機器において、電子機器がシャットダウンしていると、電子機器の外部から内蔵記憶装置へのアクセスは容易ではなかった。このため、電子機器がシャットダウンしているときにも、電子機器の外部から内蔵記憶装置へ容易に、しかも安定してアクセス可能な電子機器を提供することが課題となっていた。【解決手段】実施形態の電子機器は、第１のインタフェース規格に対応し、情報を記憶する記憶装置を備える。また、前記第１のインタフェース規格に対応し、外部端子と接続されるコネクタを備える。また、前記記憶装置と前記コネクタの接続を行うホストコントローラを備える。また、前記記憶装置と前記コネクタと前記ホストコントローラの接続関係を切り替える切り替え部を備え、電子機器がシャットダウンしている場合は、前記コネクタに接続された前記外部端子と前記記憶装置を接続する。【選択図】  図１
2012089064.tif 000002
【特許請求の範囲】
【請求項１】
第１のインタフェース規格に対応し、情報を記憶する記憶装置と、
前記第１のインタフェース規格に対応し、外部端子と接続されるコネクタと、
前記記憶装置と前記コネクタの接続を行うホストコントローラと、
前記記憶装置と前記ホストコントローラと前記コネクタの前記接続関係を切り替える切り替え部を備え、電子機器がシャットダウンしている場合は、前記コネクタに接続された前記外部端子と前記記憶装置を接続する電子機器。
【請求項２】
前記第１のインタフェース規格はシリアルＡＴＡである請求項１に記載の電子機器。
【請求項３】
前記コネクタは前記外部端子に着脱可能に構成される請求項１に記載の電子機器。
【請求項４】
電子機器がシャットダウンしていない場合は、前記記憶装置と前記コネクタは接続しないようにする請求項１に記載の電子機器。
【請求項５】
電子機器に電源を供給する電源供給手段をさらに備え、前記電子機器がシャットダウンしている場合は前記電源供給手段から前記記憶手段に電源が供給される請求項１に記載の電子機器。
【請求項６】
電子機器に電源を供給する電源供給手段をさらに備え、前記記憶手段に前記外部端子から電源が供給されない場合は前記電源供給手段から供給される請求項１に記載の電子機器。
【請求項７】
電子機器に電源を供給する電源供給手段と、
前記記憶手段と前記電源供給手段、前記コネクタ間の電源供給に係る接続関係を切り替える第２の切り替え手段を備える請求項１に記載の電子機器。
【請求項８】
電子機器に電源を供給する電源供給手段と、
前記記憶手段と前記電源供給手段、前記コネクタ間の電源供給に係る接続関係を切り替える第２の切り替え手段を備え、前記記憶手段に前記外部端子から電源が供給されない場合は前記電源供給手段から供給される請求項１に記載の電子機器。
【請求項９】
電子機器に電源を供給する電源供給手段と、
前記コネクタに前記外部端子が接続されたかおよび、前記外部端子から電源が供給されるかを検出する検出手段をさらに備え、前記外部端子は接続され、前記外部端子から電源が供給されない場合は前記電源供給手段から前記記憶手段に電源が供給される請求項１に記載の電子機器。
【請求項１０】
電子機器に電源を供給する電源供給手段と、
前記コネクタに前記外部端子が接続されたかおよび、前記外部端子から電源が供給されるかを検出する検出手段をさらに備え、前記外部端子は接続され、前記外部端子から電源が供給される場合は前記外部端子から前記記憶手段に電源が供給される請求項１に記載の電子機器。
【請求項１１】
第１のインタフェース規格に対応し、情報を記憶する記憶装置と、前記第１のインタフェース規格に対応し、外部端子と接続されるコネクタと、前記記憶装置と前記コネクタの接続を行うホストコントローラの前記接続関係を切り替える切り替え部を備え、電子機器がシャットダウンしている場合は、前記コネクタに接続された前記外部端子と前記記憶装置を接続する電子機器の制御方法。
【請求項１２】
前記コネクタに前記外部端子が接続されたかおよび、前記外部端子から電源が供給されるかを検出するステップをさらに備え、前記外部端子は接続され、前記外部端子から電源が供給される場合は前記外部端子から前記記憶手段に電源が供給される請求項１１に記載の電子機器の制御方法。
【発明の詳細な説明】
【技術分野】
【０００１】
本発明の実施形態は、内蔵するＨＤＤ等の記憶装置に外部からアクセス可能な電子機器に関する。
【背景技術】
【０００２】
例えばパーソナルコンピュータ等の記憶装置を内蔵する電子機器において、電子機器がシャットダウンしていると、電子機器の外部から内蔵記憶装置へのアクセスは容易ではなかった。
【０００３】
これに対応するために、例えばＵＳＢ−ＩＤＥブリッジコントローラを用い、ＩＤＥ接続のＨＤＤを本体ＵＳＢコネクタからアクセスできるようにする技術の開示がある。
【０００４】
しかしこの場合、上記ブリッジコントローラを電子機器にさらに追加する必要があり、コストがかかるという問題があった。
また、データ転送速度も上記ブリッジコントローラの上限速度に制限されるという問題があった。
また、上記例ではＵＳＢバス電源を内蔵記憶装置（内部ＨＤＤ）の駆動に使用するが、例えば２．５インチのＨＤＤの場合、このＵＳＢバス電源の供給能力ではＨＤＤを駆動するには不足であり、正常に動作しないことが予想される。
【０００５】
このため、電子機器がシャットダウンしているときにも、電子機器の外部から内蔵記憶装置へ容易に、しかも安定してアクセス可能な電子機器を提供することが課題となっていた。
【先行技術文献】
【特許文献】
【０００６】
【特許文献１】特開２００１−２２５２７号公報
【発明の概要】
【発明が解決しようとする課題】
【０００７】
例えばパーソナルコンピュータ等の記憶装置を内蔵する電子機器において、電子機器がシャットダウンしていると、電子機器の外部から内蔵記憶装置へのアクセスは容易ではなかった。このため、電子機器がシャットダウンしているときにも、電子機器の外部から内蔵記憶装置へ容易に、しかも安定してアクセス可能な電子機器を提供することが課題となっていた。
【課題を解決するための手段】
【０００８】
実施形態の電子機器は、第１のインタフェース規格に対応し、情報を記憶する記憶装置を備える。
また、前記第１のインタフェース規格に対応し、外部端子と接続されるコネクタを備える。
また、前記記憶装置と前記コネクタの接続を行うホストコントローラを備える。
また、前記記憶装置と前記コネクタと前記ホストコントローラの接続関係を切り替える切り替え部を備え、電子機器がシャットダウンしている場合は、前記コネクタに接続された前記外部端子と前記記憶装置を接続する。
【図面の簡単な説明】
【０００９】
【図１】実施形態に係わる電子機器の外観図。
【図２】実施形態に係わる電子機器の構成を示すブロック図。
【図３】実施形態に係わる電子機器の使用形態の一例を示す図。
【図４】実施形態に係わる電子機器におけるＳＡＴＡ信号接続に係る機能ブロック図。
【図５】実施形態に係わる電子機器における電源接続に係る機能ブロック図。
【図６】他の実施形態に係わる電子機器における電源接続に係る機能ブロック図。
【図７】図４で説明した実施形態に係わる電子機器において、ＰＣ起動中かシャットダウンかに応じて外部ＰＣとのアクセス処理を切り替える処理のフローチャートの一例。
【図８】図５で説明した実施形態に係わる電子機器において、ＰＣにおける内蔵ＨＤＤへの電源供給を切り替える処理のフローチャートの一例。
【図９】図６で説明した実施形態に係わる電子機器において、バスパワーとセルフパワーを自動的に切り替えるための電源切り替え方法処理のフローチャートの一例。
【発明を実施するための形態】
【００１０】
以下、図面を参照し、実施の形態を説明する。
図１は、実施形態に係わる電子機器の外観図である。
図１は、実施形態に係わる電子機器の外観図である。この電子機器は、例えばノートブックタイプのパーソナルコンピュータ（ノートＰＣ）１０として実現されている。
【００１１】
なお、この実施の形態はパーソナルコンピュータに限られず、ＴＶや携帯電話、携帯型の電子機器に適用することも可能である。
図１に示すように、本コンピュータ（ノートＰＣ）１０は、コンピュータ（ノートＰＣ）本体１１と、ディスプレイユニット１２とから構成されている。ディスプレイユニット１２には、ＬＣＤ（liquid crystal display）１７が組み込まれている。ディスプレイユニット１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００１２】
コンピュータ（ノートＰＣ）本体１１は、薄い箱形の筐体を有しており、その上面には、キーボード１３、本コンピュータ（ノートＰＣ）１０を電源オン／電源オフするためのパワーボタン１４、入力操作パネル１５、タッチパッド１６、スピーカ１８Ａ，１８Ｂなどが配置されている。入力操作パネル１５上には、各種操作ボタンが設けられている。
【００１３】
また、コンピュータ（ノートＰＣ）本体１１の右側面には、例えばＵＳＢ（universal serial bus）２．０規格のＵＳＢケーブルやＵＳＢデバイスを接続するためのＵＳＢコネクタ１９が設けられている。
【００１４】
さらに、コンピュータ（ノートＰＣ）本体１１の背面には、例えばＨＤＭＩ(high-definition multimedia interface)規格に対応した外部ディスプレイ接続端子（図示せず）が設けられている。この外部ディスプレイ接続端子は、デジタル映像信号を外部ディスプレイに出力するために用いられる。
【００１５】
図２は、本コンピュータ（ノートＰＣ）１０のシステム構成を示す図である。
本コンピュータ（ノートＰＣ）１０は、図２に示されているように、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備える。
【００１６】
ＣＰＵ１０１は、本コンピュータ（ノートＰＣ）１０内の各部の動作を制御するプロセッサである。
ＣＰＵ１０１は、ＢＩＯＳ−ＲＯＭ１０７に格納されたＢＩＯＳを実行する。ＢＩＯＳは、ハードウェア制御のためのプログラムである。
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００１７】
ＧＰＵ１０５は、本コンピュータ（ノートＰＣ）１０のディスプレイモニタとして使用されるＬＣＤ１７を制御する表示コントローラである。
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００１８】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００１９】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００２０】
さらに、サウスブリッジ１０４は、サウンドコントローラ１０６との通信を実行する機能も有している。
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、（ＵＳＢコネクタ１９を介して接続される）例えばUSB 2.0規格に対応した外部機器との通信を実行する。
【００２１】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００２２】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて本コンピュータ（ノートＰＣ）１０を電源オン／電源オフする機能を有している。
【００２３】
この実施の形態における表示制御は、例えばＣＰＵ１０１が主メモリ１０３やＨＤＤ１０９等に記録されたプログラムを実行させることにより行われる。
また、本コンピュータ（ノートＰＣ）１０は、ｅＳＡＴＡコネクタ２０ａを構成する。内蔵ハードディスクドライブ（ＨＤＤ（記憶装置））１０９はｅＳＡＴＡコネクタ２０ａと接続し、後述するように、ｅＳＡＴＡコネクタ２０ａは外部ＰＣ４０とケーブル端子を介して接続される。
【００２４】
これにより、外部ＰＣ４０は内蔵ハードディスクドライブ（ＨＤＤ（記憶装置））１０９にアクセス可能になる。
図３は、実施形態に係わる電子機器の使用形態の一例を示す図である。
この実施の形態においては、電子機器（ノートＰＣ）１０に内蔵されているＨＤＤ１０９に対し、電子機器（ノートＰＣ）１０を起動させることなく、すなわち電子機器（ノートＰＣ）の電源ＯＦＦ中に、外部よりアクセスできるようにして、利便性を向上させるものである。このとき、内蔵ＨＤＤ１０９へのアクセスは、電子機器（ノートＰＣ）１０本体に設けられているｅＳＡＴＡコネクタ２０ａを介して行う。
【００２５】
また、この実施の形態においては、電子機器（ノートＰＣ）１０に設けられるｅＳＡＴＡコネクタ２０ａを、電子機器（ノートＰＣ）１０の起動中とシャットダウン中で機能を切り替えて使用できるようにする。
【００２６】
すなわち、電子機器（ノートＰＣ）１０の起動中は通常の使用（ｅＳＡＴＡデバイスを接続して使う）を行うことができ、シャットダウン中は外部の別のＰＣ４０からｅＳＡＴＡケーブルを接続し、内蔵ＨＤＤ１０９にアクセスできるようにする。このとき、内蔵ＨＤＤ１０９は、外部ＰＣ４０からは外付けストレージデバイスのように見える。
【００２７】
この機能の切り替えは、以下に説明するように内部のＳＡＴＡ信号及び電源の切り替えによって行う。
符号１０はこの実施の形態にかかる電子機器（ノートＰＣ）である。符号２０ａは電子機器（ノートＰＣ）１０に構成されるコネクタであるｅＳＡＴＡコネクタである。ここでは、ｅＳＡＴＡコネクタ２０ａはＰｏｗｅｒ  ｅＳＡＴＡに対応している。
【００２８】
符号４０は電子機器（ノートＰＣ）１０の外部に別に設けられる外部ＰＣである。符号２４ｂは外部ＰＣに設けられるコネクタであるｅＳＡＴＡコネクタである。この例では、ｅＳＡＴＡコネクタ２４ｂもＰｏｗｅｒ  ｅＳＡＴＡに対応している。
【００２９】
符号３０ｂはＰｏｗｅｒ  ｅＳＡＴＡケーブル端子である。Ｐｏｗｅｒ  ｅＳＡＴＡケーブル端子３０ｂはケーブルとその両端に設けられるｅＳＡＴＡ接続端子を構成する。Ｐｏｗｅｒ  ｅＳＡＴＡケーブル端子３０ｂはそれぞれ両端に設けられる端子（図示せず）を介し、上記ｅＳＡＴＡコネクタ２０ａとｅＳＡＴＡコネクタ２４ｂに接続され、電子機器（ノートＰＣ）１０と外部ＰＣ４０を接続する。
【００３０】
これにより、外部ＰＣ４０は電子機器（ノートＰＣ）１０の内蔵ＨＤＤ（記憶装置）１０９にアクセスすることが可能になる。
ここで、上記シリアルＡＴＡ（ＳＡＴＡ）、ｅＳＡＴＡおよびＰｏｗｅｒ  ｅＳＡＴＡについて説明する。
シリアルＡＴＡは、ＳＡＴＡとも表記され、Serial Advanced Technology Attachmentの略称である。シリアルエーティーエー、サタ、エスアタとも呼称されることがある。
【００３１】
シリアルＡＴＡは、コンピュータにハードディスク、ＳＳＤやＤＶＤ等の光学ドライブを接続するためのインタフェース規格である。従来採用されていたパラレルＡＴＡに代わり、現在用いられることの多い記録ドライブの接続インタフェース規格である。
【００３２】
この実施の形態においては、電子機器（ノートＰＣ）１０に内蔵する内蔵ＨＤＤ（記憶装置）１０９はこのシリアルＡＴＡを採用し、対応している。
なお、実施の形態の説明においては、内蔵ＨＤＤ（記憶装置）１０９はハードディスクドライブを例にとるが、内蔵ＨＤＤ（記憶装置）１０９はシリアルＡＴＡに対応していればよく、上記ハードディスク、ＳＳＤやＤＶＤ等の光学ドライブ等の記憶装置に適用することも可能である。
【００３３】
ｅＳＡＴＡは、パーソナルコンピュータ（パソコン）等の電子機器に外付けハードディスク等を接続するための上記シリアルＡＴＡの一種である。
ｅＳＡＴＡは、イーサタ等とも呼ばれ、External Serial ATAの略称である。Serial ATA 1.0aの拡張規格で、外付けドライブ向けに定義された規格である。
【００３４】
誤接続を防ぐため、誤接続を防ぐ為、ｅＳＡＴＡのコネクタ形状はシリアルＡＴＡのコネクタ形状とは違うものになっている。
ｅＳＡＴＡは、電源を落とさずに機器の接続や切り離しができるホットプラグに対応し、ケーブルの最大長は２ｍまでと決められている。また、転送方式や転送速度等はシリアルＡＴＡに準拠し、最高で１５０ＭＢ／ｓの通信を行うことが可能である。
【００３５】
Ｐｏｗｅｒ  ｅＳＡＴＡは、パワーｅＳＡＴＡとも呼称され、ｅＳＡＴＡケーブル経由で外付けハードディスク等に電源を供給できる。
パワーｅＳＡＴＡは、ｅＳＡＴＡコネクタを拡張しＵＳＢのように電源供給機能を追加したものである。電源供給を受けるためには接続機器がパワーｅＳＡＴＡに対応している必要があるが、高速転送が可能なｅＳＡＴＡ機器をＵＳＢのように便利に扱うことが可能である。
【００３６】
また、パワーｅＳＡＴＡは、パワーｅＳＡＴＡポートへ従来のｅＳＡＴＡ機器も接続可能である。
この電源供給機能が付いたｅＳＡＴＡインタフェース（パワーｅＳＡＴＡ）は、現在、Serial ATA International Organizationで規格化が図られているが、既にコネクタは、３．５インチＨＤＤおよび２．５インチＨＤＤで使用される＋５Ｖの電源を供給できるパワーｅＳＡＴＡ(＋５Ｖ)タイプ、およびさらに＋１２Ｖを追加して２電源としたパワーｅＳＡＴＡ(＋１２Ｖ／＋５Ｖ)タイプが製品化されている。
【００３７】
そして、パワーｅＳＡＴＡは、ｅＳＡＴＡ機器の接続に用いられる。
例えば、電子機器にパワー＋５Ｖ出力のコネクタを採用すると、パワーｅＳＡＴＡ(＋５Ｖ)対応機器（例えば、フラッシュメモリ、２．５”ＳＡＴＡ−ＳＳＤ、２．５”ＳＡＴＡ−ＨＤＤ等）の接続に適用することが可能である。
【００３８】
また、電子機器にパワー＋１２Ｖ出力のコネクタを採用すると、パワーｅＳＡＴＡ(＋１２Ｖ／＋５Ｖ)対応機器(例えば、３．５”ＳＡＴＡ−ＨＤＤの外付ドライブ、３．５”ＳＡＴＡ−ＨＤＤ、２．５”ＳＡＴＡ−ＨＤＤ、２．５”ＳＡＴＡ−ＳＳＤ等)の接続に適用することが可能である。
【００３９】
上記のように、この実施の形態においては、電子機器（ノートＰＣ）１０本体側のｅＳＡＴＡコネクタ２０ａはＰｏｗｅｒ  ｅＳＡＴＡをサポートする。
また、この実施の形態においては、電子機器（ノートＰＣ）１０本体は、さらにセルフパワー切り替え用のスライドスイッチであるセルフパワー切り替えスイッチ２１を備える。
【００４０】
そして、電子機器（ノートＰＣ）１０のシャットダウン時は、外部ＰＣ４０のｅＳＡＴＡコネクタ２４とＰｏｗｅｒ  ｅＳＡＴＡケーブル端子３０ｂを用いて接続し、外部ＰＣ４０から内蔵ＨＤＤ１０９にアクセスする。
【００４１】
このとき、内蔵ＨＤＤ１０９は、外部ＰＣ４０からはストレージデバイスのように見える。
そして、電子機器（ノートＰＣ）１０に接続する外部ＰＣ４０がＰｏｗｅｒ  ｅＳＡＴＡをサポートする場合は、スイッチ２１をセルフパワーＯＦＦに切り替え、内蔵ＨＤＤ１０９は外部ＰＣからのバスパワー（Ｐｏｗｅｒ  ｅＳＡＴＡケーブルのバスを介し、外部ＰＣから供給される電源）を用い、駆動させることが可能である。
【００４２】
なお、このとき、スイッチ２１をセルフパワーＯＮに切り替え、電子機器（ノートＰＣ）１０本体の電源（バッテリ、ＡＣ電源等）、すなわちセルフパワーで駆動させることも可能である。
【００４３】
そして、外部ＰＣ４０がＰｏｗｅｒ  ｅＳＡＴＡをサポートしない場合は、スイッチ２１をセルフパワーＯＮに切り替え、内蔵ＨＤＤ１０９は電子機器（ノートＰＣ）１０本体の電源から駆動させる
【００４４】
なお、電子機器（ノートＰＣ）１０を上記セルフパワーで動作させる場合は、本体のバッテリ残量が十分あるか、ＡＣ電源が接続されている必要がある。
図４は、実施形態に係わる電子機器におけるＳＡＴＡ信号接続に係る機能ブロック図である。ここでは電源の接続関係については説明を省略する。
図４（ａ）は、電子機器（ノートＰＣ）１０が起動している場合のＳＡＴＡ信号接続に係る機能ブロック図である。
符号１２０はホストコントローラ（Host Controller）である。ホストコントローラは、コンピュータ本体の拡張スロットなどに装着され、外部の周辺機器やネットワークとの接続手段を提供するインタフェースカードの総称である。ここでは、シリアルＡＴＡ（ｅＳＡＴＡ）のインタフェースカードである。
【００４５】
内蔵ＨＤＤ１０９とｅＳＡＴＡコネクタ２０ａは、ホストコントローラ１２０のＳＡＴＡインタフェースとの間で、ＳＡＴＡ信号（ＴＸ：Transmitter、ＲＸ：Recieverの２対の差動信号）を経由して通信される。なお、ここでは便宜上、２本の信号線を１本線で示す。
【００４６】
符号２１はＳＡＴＡ信号のバススイッチＳＷ１、符号２２はＳＡＴＡ信号のバススイッチＳＷ２、符号２３はＳＡＴＡ信号のバススイッチＳＷ３である。
図に示すように、バススイッチＳＷ１（２１）は内蔵ＨＤＤ１０９とホストコントローラ１２０のＰｏｒｔ１間に設けられる。また、バススイッチＳＷ２（２２）はｅＳＡＴＡコネクタ２０ａとホストコントローラ１２０のＰｏｒｔ２間に、バススイッチＳＷ３（２３）は内蔵ＨＤＤ１０９とｅＳＡＴＡコネクタ２０ａ間にそれぞれ設けられる。
【００４７】
そして、電子機器（ノートＰＣ）１０が起動している場合は、バススイッチＳＷ１（２１）およびバススイッチＳＷ２（２２）をＯＮ、バススイッチＳＷ３（２３）をＯＦＦにする。
【００４８】
このとき、内蔵ＨＤＤ１０９はホストコントローラ１２０と、ホストコントローラ１２０はｅＳＡＴＡコネクタ２０ａと接続されるので、電子機器（ノートＰＣ）１０が起動している通常の使用状態、すなわち、ホストコントローラ１２０が内蔵ＨＤＤ１０９とｅＳＡＴＡコネクタ２０ａを接続する状態となる。
【００４９】
図４（ｂ）は、電子機器（ノートＰＣ）１０がシャットダウンしている場合のＳＡＴＡ信号接続に係る機能ブロック図である。
上記と同様に、バススイッチＳＷ１（２１）は内蔵ＨＤＤ１０９とホストコントローラ１２０のＰｏｒｔ１間に、バススイッチＳＷ２（２２）はｅＳＡＴＡコネクタ２０ａとホストコントローラ１２０のＰｏｒｔ２間に、バススイッチＳＷ３（２３）は内蔵ＨＤＤ１０９とｅＳＡＴＡコネクタ２０ａ間に設けられる。
【００５０】
ここでは、図に示すように、外部ＰＣ４０が、ｅＳＡＴＡコネクタ２４ａ、ｅＳＡＴＡケーブル端子３０ａを介し、ｅＳＡＴＡコネクタ２０ａに接続される。
そして、電子機器（ノートＰＣ）１０がシャットダウンしている場合は、バススイッチＳＷ１（２１）およびバススイッチＳＷ２（２２）をＯＦＦ、バススイッチＳＷ３（２３）をＯＮにする。
【００５１】
この時、内蔵ＨＤＤ１０９とホストコントローラ１２０間の接続、およびｅＳＡＴＡコネクタ２０ａとホストコントローラ１２０間の接続は遮断され、内蔵ＨＤＤ１０９とｅＳＡＴＡコネクタ２０ａが接続される。
【００５２】
これにより、外部ＰＣ４０は、ｅＳＡＴＡコネクタ２４ａ、ｅＳＡＴＡケーブル端子３０ａ、ｅＳＡＴＡコネクタ２０ａを介し、内蔵ＨＤＤ１０９にアクセスすることが可能となる。
【００５３】
なお、ここで上記バススイッチＳＷ１（２１）およびバススイッチＳＷ２（２２）をＯＦＦにするのは、ホストコントローラ１２０の誤動作を防ぐこと、及び反射による波形品質の乱れを防ぐことを目的としている。
【００５４】
図５は、実施形態に係わる電子機器における電源接続に係る機能ブロック図である。ここではＳＡＴＡ信号の接続関係については説明を省略する。
この実施の形態においては、電子機器（ノートＰＣ）１０の起動中は、本体電源より内蔵ＨＤＤ１０９へ電源供給される。しかし、シャットダウン中は、シャットダウン中であっても以下に説明する制御信号を用いることにより、内蔵ＨＤＤ１０９への電源供給ＯＮを保持できるようにしている。
【００５５】
符号２４は電子機器（ノートＰＣ）１０内部に構成される、電源を供給するための電源供給回路である。符号２１はユーザが切り替え操作を行い、電源を電源供給回路２４から供給するか、外部ＰＣ４０から供給するかを切り替えるセルフパワー切り替えスイッチである。
【００５６】
符号３１は電源ＯＮ／ＯＦＦをスイッチするＰｏｗｅｒＳＷ１、符号３２は電源ＯＮ／ＯＦＦをスイッチするＰｏｗｅｒＳＷ２である。符号３３は内蔵ＨＤＤ１０９、本体電源供給回路２４、ｅＳＡＴＡコネクタ２０ａの全てが接続する接点である。
【００５７】
この実施の形態においては、図５（ａ）、（ｂ）、（ｃ）に示すように、内蔵ＨＤＤ１０９、本体電源供給回路２４、ｅＳＡＴＡコネクタ２０ａは接点３３で交接する。
【００５８】
そして、本体電源供給回路２４と接点３３間にはＰｏｗｅｒＳＷ１（３１）が設けられる。また、ｅＳＡＴＡコネクタ２０ａと接点３３間にはＰｏｗｅｒＳＷ２が設けられる。内蔵ＨＤＤ１０９と接点３３は直接接続される。
【００５９】
そして、上記ＰｏｗｅｒＳＷ１（３１）、ＰｏｗｅｒＳＷ２（３２）は、以下に説明するように、上記セルフパワー切り替えスイッチのＯＮ／ＯＦＦによって作られる制御信号によってＯＮ／ＯＦＦの切り替えを行う。
【００６０】
図５（ａ）は、実施形態に係わる電子機器の起動時における電源接続に係る機能ブロック図である。
ここでは、セルフパワー切り替えスイッチ２１がＯＮまたはＯＦＦの場合、すなわちセルフパワー切り替えスイッチ２１ＯＮ／ＯＦＦに関わらず、ＰｏｗｅｒＳＷ１（３１）およびＰｏｗｅｒＳＷ２（３２）をＯＮとする。これにより、内蔵ＨＤＤ１０９およびｅＳＡＴＡコネクタへ供給される電源は本体電源供給回路２４から供給され、通常の使用状態となる。
【００６１】
図５（ｂ）は、実施形態に係わる電子機器のシャットダウン時において、セルフパワー切り替えスイッチ２１がＯＮの場合の電源接続に係る機能ブロック図である。
ここでは、ｅＳＡＴＡケーブル端子３０ａを介して外部ＰＣ４０が電子機器（ノートＰＣ）１０に接続される。
ここでは、セルフパワー切り替えスイッチ２１がＯＮになると、これに応じて、ＰｏｗｅｒＳＷ１（３１）をＯＮ、ＰｏｗｅｒＳＷ２（３２）をＯＦＦとする。
このとき、内蔵ＨＤＤ１０９は本体電源供給回路２４より電源が供給される。この場合、外部ＰＣ４０がＰｏｗｅｒ ｅＳＡＴＡをサポートしていなくても、外部ＰＣ４０から内蔵ＨＤＤ１０９へのアクセスが可能である。
【００６２】
なお、この場合は、Ｐｏｗｅｒ  ｅＳＡＴＡがサポートされている場合であっても、外部ＰＣ４０からの供給電源が内部（ＰｏｗｅｒＳＷ２（３２））で遮断されているので、上記セルフパワーでの動作となる。
【００６３】
図５（ｃ）は、実施形態に係わる電子機器のシャットダウン時において、セルフパワー切り替えスイッチ２１がＯＦＦの場合の電源接続に係る機能ブロック図である。
【００６４】
ここでは、Ｐｏｗｅｒ  ｅＳＡＴＡケーブル端子３０ｂを介して外部ＰＣ４０が電子機器（ノートＰＣ）１０に接続される。
ここでは、セルフパワー切り替えスイッチ２１がＯＦＦになると、これに応じて、ＰｏｗｅｒＳＷ１（３１）をＯＦＦ、ＰｏｗｅｒＳＷ２（３２）をＯＮとする。
このとき、内蔵ＨＤＤ１０９へ外部ＰＣのバスパワーより電源が供給される。
バスパワーは、上記のように、Ｐｏｗｅｒ  ｅＳＡＴＡケーブルのバスを介し、外部ＰＣ４０から供給される電源である。
このとき、外部ＰＣのバスパワーより内蔵ＨＤＤ１０９へ電源が供給されるので、電子機器（ノートＰＣ）１０本体の電源２４は特に使用しない。
このように構成することで、Ｐｏｗｅｒ  ｅＳＡＴＡを使用する場合は、このモードでの電子機器（ノートＰＣ）１０の使用となり、電子機器（ノートＰＣ）１０本体電源の消費を抑制することが可能となる。例えば、電子機器（ノートＰＣ）１０にＡＣ電源がなく、バッテリ残量切れの時でも使用可能である。ｅＳＡＴＡ未使用時はこのモードにし、ＨＤＤ１０９の電源はＯＦＦにしておくことが望ましい。
【００６５】
なお、この場合、Ｐｏｗｅｒ ｅＳＡＴＡをサポートしない通常のｅＳＡＴＡからのアクセスは不可である。
図６は、他の実施形態に係わる電子機器における電源接続に係る機能ブロック図である。
この図６は、上記図５の説明の変形例であり、バスパワーとセルフパワーを自動で切り替える為の電源切り替え方法の他の実施の形態を説明するものである。
なお、ＳＡＴＡ信号の切り替えについては上記図４の説明と同様である。
また、電源スイッチＰｏｗｅｒＳＷ１（３１）、ＰｏｗｅｒＳＷ２（３２）は上記図５と同様であるが、その切り替えは、上記セルフパワー切り替えスイッチ２１に代え、ケーブル検出回路及びバスパワー電源検出回路３４で作られる制御信号により、それぞれＯＮ／ＯＦＦ切り替えを行う。
【００６６】
ここでは、自動的に上記バスパワーとセルフパワーを切り替える機能の実施形態を説明する。
この実施の形態においては、ｅＳＡＴＡケーブルの接続・未接続を検出する機構（検出ピン）を本体コネクタ側に設ける。
符号２０ｂはＰｏｗｅｒ  ｅＳＡＴＡに対応するｅＳＡＴＡコネクタである。このｅＳＡＴＡコネクタ２０ｂは、Ｐｏｗｅｒ  ｅＳＡＴＡのケーブル端子を検出する検出ピンを備えている（図示せず）。
【００６７】
符号３４はＰｏｗｅｒ  ｅＳＡＴＡのケーブル端子および上記バスパワーを検出するケーブル端子検出・バスパワー検出回路である。
電子機器（ノートＰＣ）１０の起動時は、上記図５の説明と同様、ｅＳＡＴＡコネクタ２０ｂへのｅＳＡＴＡケーブル端子の接続有無に関わらず、ＰｏｗｅｒＳＷ１（３１）およびＰｏｗｅｒＳＷ２に対し、ＰｏｗｅｒＳＷ１（３１）およびＰｏｗｅｒＳＷ２（３２）がＯＮとなるように、制御信号を出力する(図示せず)。
【００６８】
図６（ａ）は、この実施形態に係わる電子機器において、ＰＣシャットダウン時に、ケーブル端子が未接続の場合の電源接続に係る機能ブロック図である。
この場合、ケーブル端子検出・バスパワー検出回路３４は、上記と同様に、ケーブル端子検出ピンが検出されないためｅＳＡＴＡコネクタ２０ｂへのｅＳＡＴＡケーブル端子３０ａの接続なし（図では×）を、またバスパワーが検出されないことから、上記バスパワーの供給なし（図では×）を検出する。
【００６９】
すると、ケーブル端子検出・バスパワー検出回路３４はこれに応じ、ＰｏｗｅｒＳＷ１（３１）およびＰｏｗｅｒＳＷ２（３２）に対し、両者ＯＦＦとなるように、制御信号を出力する。このとき、外部ＰＣ４０は内蔵ＨＤＤ１０９にアクセスすることはできない。
【００７０】
図６（ｂ）は、この実施形態に係わる電子機器において、ＰＣシャットダウン時に、Ｐｏｗｅｒ  ｅＳＡＴＡをサポートしない（非サポート）外部ＰＣ４０が接続された場合の電源接続に係る機能ブロック図である。
【００７１】
この場合、ケーブル端子検出・バスパワー検出回路３４は、ケーブル端子検出ピンが検出されたためｅＳＡＴＡコネクタ２０ｂへのｅＳＡＴＡケーブル端子３０ａの接続あり（図では○）を、またバスパワーは検出されないことから、上記バスパワーの供給なし（図では×）を検出する。
【００７２】
このとき、ケーブル端子検出・バスパワー検出回路３４はこれに応じ、ＰｏｗｅｒＳＷ１（３１）およびＰｏｗｅｒＳＷ２（３２）に対し、ＰｏｗｅｒＳＷ１（３１）がＯＮ、ＰｏｗｅｒＳＷ２（３２）がＯＦＦとなるように制御信号を出力する。これにより、内蔵ＨＤＤ１０９は電子機器（ノートＰＣ）１０本体より電源供給されるので、上記セルフパワーでの動作となる。
【００７３】
図６（ｃ）は、この実施形態に係わる電子機器において、ＰＣシャットダウン時に、Ｐｏｗｅｒ  ｅＳＡＴＡがサポートされた外部ＰＣ４０が接続された場合の電源接続に係る機能ブロック図である。
【００７４】
この場合、ケーブル端子検出・バスパワー検出回路３４は、ケーブル端子検出ピンが検出されるためｅＳＡＴＡコネクタ２０ｂへのｅＳＡＴＡケーブル端子３０ａの接続あり（図では○）を、またバスパワーも検出されることから、上記バスパワーの供給あり（図では○）を検出する。
【００７５】
このとき、ケーブル端子検出・バスパワー検出回路３４はこれに応じ、ＰｏｗｅｒＳＷ１（３１）およびＰｏｗｅｒＳＷ２（３２）に対し、ＰｏｗｅｒＳＷ１（３１）がＯＦＦ、ＰｏｗｅｒＳＷ２（３２）がＯＮとなるように制御信号を出力する。
【００７６】
これにより、内蔵ＨＤＤ１０９はＰｏｗｅｒ  ｅＳＡＴＡケーブル端子３０ｂを介し、外部ＰＣ４０より電源供給され、上記バスパワーでの動作となる。
図７は、上記図４で説明した実施形態に係わる電子機器において、ＰＣ起動中かシャットダウンかに応じて外部ＰＣとのアクセス処理を切り替える処理のフローチャートの一例である。
【００７７】
符号Ｓ１００はここでの開始ステップである。続いて符合Ｓ１０１を付したステップへ進む。
符号Ｓ１０１は外部ＰＣ(４０)の接続端子がＰＣ（１０）のｅＳＡＴＡコネクタ２０ａに接続するステップである。続いて符合Ｓ１０２を付したステップへ進む。
符号Ｓ１０２は、ＰＣはシャットダウン中かを判別するステップである。ＰＣはシャットダウン中であると判別される場合は符合Ｓ１０３を付したステップへ進む（Ｓ１０２のＹｅｓ）。ＰＣはシャットダウン中ではないと判別される場合は符合Ｓ１０５を付したステップへ進む（Ｓ１０２のＮｏ）。
【００７８】
符号Ｓ１０３はホストコントローラ(１２０)と内蔵ＨＤＤ(１０９)の接続ＯＦＦ、ホストコントローラ(１２０)とｅＳＡＴＡコネクタ２０ａの接続ＯＦＦ、内蔵ＨＤＤ(１０９)とｅＳＡＴＡコネクタ２０ａの接続ＯＮとするステップである。続いて符合Ｓ１０４を付したステップへ進む。
【００７９】
符号Ｓ１０４は、内蔵ＨＤＤ(１０９)はホストコントローラ(１２０)に制御されず、ｅＳＡＴＡコネクタ２０ａを介し、直接外部ＰＣ（４０）とアクセスするステップである。続いて符合Ｓ１０２を付したステップへ進み、上記処理を繰り返す。
【００８０】
符号Ｓ１０５はホストコントローラ(１２０)と内蔵ＨＤＤ(１０９)の接続ＯＮ、ホストコントローラ(１２０)とｅＳＡＴＡコネクタ２０ａの接続ＯＮ、内蔵ＨＤＤ(１０９)とｅＳＡＴＡコネクタ２０ａの接続ＯＦＦとするステップである。続いて符合Ｓ１０６を付したステップへ進む。
【００８１】
符号Ｓ１０６は、内蔵ＨＤＤ(１０９)はホストコントローラ(１２０)に制御され、ホストコントローラ(１２０)制御で、外部ＰＣ（４０）とアクセスするステップである。続いて符合Ｓ１０２を付したステップへ進み、上記処理を繰り返す。
【００８２】
図８は、上記図５で説明した実施形態に係わる電子機器において、ＰＣにおける内蔵ＨＤＤへの電源供給を切り替える処理のフローチャートの一例である。
符号Ｓ２００はここでの開始ステップである。続いて符合Ｓ２０１を付したステップへ進む。
符号Ｓ２０１は外部ＰＣ(４０)の接続端子がＰＣ（１０）のｅＳＡＴＡコネクタ２０ａに接続するステップである。続いて符合Ｓ２０２を付したステップへ進む。
符号Ｓ２０２は、ＰＣ１０はシャットダウン中かを判別するステップである。ＰＣ１０はシャットダウン中であると判別される場合は符合Ｓ２０３を付したステップへ進む（Ｓ２０２のＹｅｓ）。ＰＣ１０はシャットダウン中でないと判別される場合は符合Ｓ２０６を付したステップへ進む（Ｓ２０２のＮｏ）。
【００８３】
符号Ｓ２０３は、セルフパワー切り替えスイッチ２１はＯＮとなっているかを判別するステップである。セルフパワー切り替えスイッチ２１はＯＮとなっていると判別される場合は符号Ｓ２０４を付したステップへ進む（Ｓ２０３のＹｅｓ）。セルフパワー切り替えスイッチ２１はＯＮとなっていないと判別される場合は符号Ｓ２０５を付したステップへ進む（Ｓ２０３のＮｏ）。
【００８４】
符号Ｓ２０４は、内蔵ＨＤＤ(１０９)はＰＣ（１０）本体から電源供給され、外部ＰＣ（４０）からの電源供給はＯＦＦ。内蔵ＨＤＤ(１０９)は内部電源（セルフパワー）で動作するステップである。続いて符合Ｓ２０２を付したステップへ進み、上記処理を繰り返す。
【００８５】
符号Ｓ２０５は、内蔵ＨＤＤ(１０９)はｅＳＡＴＡコネクタを介し、外部ＰＣ（４０）から電源供給される（Ｐｏｗｅｒ  ｅＳＡＴＡ）。内蔵ＨＤＤ(１０９)にＰＣ（１０）本体から電源供給しないステップである。続いて符合Ｓ２０２を付したステップへ進み、上記処理を繰り返す。
【００８６】
符号Ｓ２０６は切り替えスイッチ２１のＯＮ／OFFに関わらず、内蔵ＨＤＤ(１０９)とｅＳＡＴＡコネクタ２０ａはＰＣ本体（１０）から電源供給されるステップである。続いて符合Ｓ２０２を付したステップへ進み、上記処理を繰り返す。
【００８７】
図９は、図６で説明した実施形態に係わる電子機器において、バスパワーとセルフパワーを自動的に切り替えるための電源切り替え方法処理のフローチャートの一例である。
【００８８】
符号Ｓ３００はここでの開始ステップである。続いて符合Ｓ３０１を付したステップへ進む。
符号Ｓ３０１は外部ＰＣ(４０)の接続端子がＰＣ（１０）のｅＳＡＴＡコネクタ２０ａに接続するステップである。続いて符合Ｓ３０２を付したステップへ進む。
符号Ｓ３０２は、ＰＣはシャットダウン中かを判別するステップである。ＰＣはシャットダウン中であると判別される場合は符合Ｓ３０３を付したステップへ進む（Ｓ３０２のＹｅｓ）。ＰＣはシャットダウン中でないと判別される場合は符合Ｓ３０６を付したステップへ進む（Ｓ３０２のＮｏ）。
【００８９】
符号Ｓ３０３はｅＳＡＴＡコネクタ２０ａにケーブル端子接続があるかを判別するステップである。ｅＳＡＴＡコネクタ２０ａにケーブル端子接続があると判別される場合は符合Ｓ３０４を付したステップへ進む（Ｓ３０３のＹｅｓ）。ｅＳＡＴＡコネクタ２０ａにケーブル端子接続がないと判別される場合は符合Ｓ３０８を付したステップへ進む（Ｓ３０３のＮｏ）。
【００９０】
符号Ｓ３０４はバスパワーが検出されたかを判別するステップである。バスパワーが検出されたと判別される場合は符合Ｓ３０５を付したステップへ進む（Ｓ３０４のＹｅｓ）。バスパワーが検出されたと判別されない場合は符合Ｓ３０８を付したステップへ進む（Ｓ３０４のＮｏ）。
【００９１】
符号Ｓ３０５は、内蔵ＨＤＤ(１０９)はＰｏｗｅｒ  ｅＳＡＴＡケーブル端子２４ｂ経由（バスパワー）で、外部ＰＣ（４０）から電源供給するステップである。続いて符合Ｓ３０２を付したステップへ進み、上記処理を繰り返す。
【００９２】
符号Ｓ３０６はｅＳＡＴＡコネクタ２０ａにケーブル端子が接続されているか否かに関わらず、内蔵ＨＤＤ(１０９)とｅＳＡＴＡコネクタ２０ａはＰＣ本体（１０）から電源供給されるステップである。続いて符合Ｓ３０２を付したステップへ進み、上記処理を繰り返す。
【００９３】
符号Ｓ３０７は、内蔵ＨＤＤ(１０９)はＰＣ本体（１０）電源と外部ＰＣ（４０）の両者から電源遮断され、電源供給されないステップである。続いて符合Ｓ３０２を付したステップへ進み、上記処理を繰り返す。
【００９４】
符号Ｓ３０８は、内蔵ＨＤＤ(１０９)はＰＣ本体（１０）から電源供給され、ＰＣ本体電源で動作させるステップである。続いて符合Ｓ３０２を付したステップへ進み、上記処理を繰り返す。
【００９５】
上記説明したように、この実施の形態においては、電子機器（ノートＰＣ）１０の内蔵ＨＤＤ１０９に、外部４０から外付けストレージデバイスのように直接アクセスできるようになり、電子機器（ノートＰＣ）１０を起動させなくてもＨＤＤ内部データのアクセスが可能となり、ユーザの利便性が向上する。
【００９６】
また、この実施の形態においては、ＳＡＴＡ接続の内蔵ＨＤＤ１０９を、同じくＳＡＴＡ接続の本体ｅＳＡＴＡコネクタ２０ａからアクセスできるようにしているので、ブリッジコントローラが不要である。また、データ転送速度もホストからのＨＤＤアクセスと同程度である。
【００９７】
また、コネクタにＰｏｗｅｒ  ｅＳＡＴＡコネクタを使用する場合は、電源供給能力は２．５インチのＨＤＤの駆動に十分であり、例えば、Ｐｏｗｅｒ  ｅＳＡＴＡに対応していない場合でも、内蔵電源に切り替えて使用することができるので、安定して動作させることが可能になる。
【００９８】
上記のように構成することによって、この発明の実施の形態においては、電子機器がシャットダウンしているときにも、電子機器の外部から内蔵記憶装置へ容易に、安定してアクセス可能な電子機器を提供することが可能になる。
【００９９】
なお、上記実施形態は、記述そのものに限定されるものではなく、実施段階では、その趣旨を逸脱しない範囲で、構成要素を種々変形して具体化することが可能である。
【符号の説明】
【０１００】
１０…電子機器（ノートＰＣ）、２０ａ、２４ｂ…ｅＳＡＴＡコネクタ(Ｐｏｗｅｒ  ｅＳＡＴＡ)、３０ａ…ｅＳＡＴＡケーブル端子、３０ｂ…Ｐｏｗｅｒ  ｅＳＡＴＡケーブル端子、４０…外部ＰＣ、１０９…ＨＤＤ（記憶装置）。
【図１】
2012089064.tif 000003
【図２】
2012089064.tif 000004
【図３】
2012089064.tif 000005
【図４】
2012089064.tif 000006
【図５】
2012089064.tif 000007
【図６】
2012089064.tif 000008
【図７】
2012089064.tif 000009
【図８】
2012089064.tif 000010
【図９】
2012089064.tif 000011